(57)【要約】【課題】  ヒューズが溶断しなくても過電流が流れ続けてしまうことのない電気掃除機を提供する。【解決手段】  電動送風機１１と、この電動送風機１１を位相制御するサイリスタ３０および制御装置３１と、電動送風機１１に流れる電流を検出する電流検出手段３２と、電動送風機１１の過電流により溶断して電動送風機に流れる電流を遮断するヒューズ３４とを備え、電動送風機１１がロックした際に流れる電動送風機１１のロック過電流を電流検出手段３２が検出したとき、制御装置３１は、ヒューズを溶断させるためにサイリスタ３０の位相制御のデューティ比を所定時間だけ高くする電気掃除機であって、制御装置３１は、デューティ比が所定時間高くされた後、電動送風機１１に流れる電流をオフにする。【選択図】  図２
2005278687.tif 000002
【特許請求の範囲】
【請求項１】
塵埃を吸引するための電動送風機と、この電動送風機を位相制御する制御手段と、前記電動送風機に流れる電流を検出する電流検出手段と、前記電動送風機の過電流により溶断して電動送風機に流れる電流を遮断するヒューズとを備え、前記電動送風機がロックした際に流れる電動送風機のロック過電流を前記電流検出手段が検出したとき、前記制御手段は、ヒューズを溶断させるために位相制御のデューティ比を所定時間だけ高くする電気掃除機であって、
前記制御手段は、デューティ比が所定時間高くされた後、前記電動送風機に流れる電流をオフにすることを特徴とする電気掃除機。
【発明の詳細な説明】
【技術分野】
【０００１】
この発明は、塵埃を吸引するための電動送風機を位相制御する電気掃除機に関する。
【背景技術】
【０００２】
従来から、電動送風機の安全を確保した電気掃除機が知られている（特許文献１参照）。
【０００３】
かかる電気掃除機では、電動送風機にヒューズを直列接続し、電動送風機に過電流が流れた際にそのヒューズを溶断することにより電動送風機の安全を確保するようにしたものである。
【０００４】
また、電動送風機を位相制御する制御手段と、電動送風機に流れる電流を検出する電流検出手段とを備え、電動送風機がロックした際の過電流を前記電流検出手段が検出したとき、前記制御手段は、位相制御のデューティ比を所定時間だけ高くしてヒューズを強制的に溶断させる電気掃除機が提案されている。
【０００５】
このような電気掃除機では、弱ポジションで電動送風機を使用している場合、電動送風機がロックした際、電動送風機に印加される電圧が低いことにより電動送風機に流れる過電流は小さく、このため、ヒューズが溶断しない。これを位相制御のデューティ比を高くして解消するようにしたものである。
【特許文献１】特開２００２−３６０４８５号公報
【発明の開示】
【発明が解決しようとする課題】
【０００６】
しかしながら、このような電気掃除機にあっては、デューティ比を所定時間高くしても、ヒューズの異常により溶断しない場合がある。このため、デューティ比が元に戻されてしまうと、電動送風機に過電流が流れ続けてしまう不具合がある。
【０００７】
この発明の目的は、ヒューズが溶断しない場合でも過電流が流れ続けてしまうことのない電気掃除機を提供することにある。
【課題を解決するための手段】
【０００８】
請求項１の発明は、塵埃を吸引するための電動送風機と、この電動送風機を位相制御する制御手段と、前記電動送風機に流れる電流を検出する電流検出手段と、前記電動送風機の過電流により溶断して電動送風機に流れる電流を遮断するヒューズとを備え、前記電動送風機がロックした際に流れる電動送風機のロック過電流を前記電流検出手段が検出したとき、前記制御手段は、ヒューズを溶断させるために位相制御のデューティ比を所定時間だけ高くする電気掃除機であって、
前記制御手段は、デューティ比が所定時間高くされた後、前記電動送風機に流れる電流をオフにすることを特徴とする。
【発明の効果】
【０００９】
この発明によれば、デューティ比が所定時間高くされた後に、直ちに電動送風機に流れる電流がオフされるので、ヒューズが溶断しない状態でも過電流が流れ続けてしまうことがない。
【発明を実施するための最良の形態】
【００１０】
以下、この発明に係る電気掃除機の実施例を図面に基づいて説明する。
【実施例】
【００１１】
図１に示す電気掃除機の掃除機本体１０内には、集塵室１２とこの集塵室１２を負圧にする電動送風機１１とが設けられている。集塵室１２には集塵フィルタ１３が設けられている。
【００１２】
１５は一端が掃除機本体１０に着脱可能に接続されているホースで、このホース１５の他端には手元操作管１６が設けられ、手元操作管１６には把手部１７が設けられている。この把手部１７には操作スイッチ(図示せず)を設けた手元操作部１７Ａが設けられている。
【００１３】
手元操作管１６には延長管１８が着脱可能に接続され、延長管１８の先端部には吸込口体２０が着脱可能に接続されている。
【００１４】
吸込口体２０は、底面に吸込開口（図示せず）を有する図示しない吸込室を設けている。この吸込室は延長管１８やホース１５等を介して掃除機本体１０の集塵室１２に連通している。
【００１５】
図２は、電動送風機１１を制御する制御系の構成を示したブロック図である。
【００１６】
図２において、３０は電動送風機１１に交流電源Ｅの電流を流すサイリスタ、３１は操作部１７Ａの操作スイッチの操作に基づいて電動送風機１１に流す電流を制御する制御装置であり、この制御装置３１はＣＰＵ等から構成されている。そして、制御装置３１とサイリスタ３０とで電動送風機１１に流れる電流を制御する制御手段が構成される。
【００１７】
３２は電動送風機１１に流れる電流を検出する電流検出手段であり、この電流検出手段３２は電動送風機１１に流れる電流に応じて電圧を発生する例えばコイルや抵抗などから構成されている。３３は制御装置３１に直流電源電圧を供給する電源回路、３４は電動送風機１１に直列接続されたヒューズである。
［動  作］
次に、上記のように構成される電気掃除機の動作を図３に示すフロー図に基づいて説明する。
【００１８】
操作部１７Ａの操作スイッチの操作により、サイリスタ３０が位相制御されて電動送風機１１が駆動されると、集塵室が負圧となる。この負圧がホース１５,延長管１８および吸込口体２０の吸込室に作用し、吸込室の吸込開口から空気とともに塵埃が吸引されていく。吸込室に吸引された空気および塵埃は延長管１８およびホース１５を介して掃除機本体１０の集塵室１２の集塵フィルタ１３に集塵されていく。
【００１９】
一方、電動送風機１１が駆動されると、電流検出手段３２は電動送風機１１に流れる電流を検出していく。
【００２０】
そして、図３に示すステップ１では、電流検出手段３２が検出する電動送風機１１の電流値Ｉが読み込まれる。
【００２１】
ステップ２では、読み込まれた電流値Ｉが予め設定した閾値Ｉ１より大きいか否かが判断され、ノーであればステップ１へ戻り、イエスであればステップ３へ進む。
【００２２】
閾値Ｉ１は、電動送風機１１がロックされたことを検出するための値であり、通常の使用状態では電動送風機１１に閾値Ｉ１以上の電流は流れず、電動送風機１１がロックされたとき、操作部１７Ａの操作スイッチの操作により「弱」が設定されていても、電動送風機１１に流れる電流が閾値Ｉ１を越えるように閾値Ｉ１が設定されている。
【００２３】
したがって、電動送風機１１がロックされなければ、換言すれば通常の使用状態であれば、操作部１７Ａの操作スイッチの操作により「強」「中」「弱」のいずれが設定されていても、図４に示すように通常状態の使用期間Ｔ０では電動送風機１１に流れる電流Ｉは閾値Ｉ１以下であり、ステップ１およびステップ２の処理動作が繰り返し行われることになる。
【００２４】
ステップ２でイエスと判断されると、すなわち電動送風機１１がロックされると（図４において時点ｔ１）、「弱」が設定されていても電動送風機１１に流れる電流Ｉは閾値Ｉ１（約７Ａ）以上となり、ステップ３へ進む。
【００２５】
操作部１７Ａの操作スイッチの操作により「弱」が設定されている場合、電動送風機１１がロックされても、電動送風機１１に流れる電流（ロック過電流）Ｉａ（約１５Ａ）はヒューズ３４を溶断する電流Ｉ２（約１６Ａ）に達しないので、ヒューズ３４は溶断されないことになる。以下、「弱」が設定されている場合について説明する。
【００２６】
ステップ３では、ロック状態がＴ１時間継続したか否かが判断され、ノーであればステップ１へ戻る。すなわち、ロック状態が一時的なものであれば、電動送風機１１に電流を流し続けても支障を来さないので、ステップ１へ戻して掃除が続行できるようにしたものである。
【００２７】
ロック状態がＴ１時間継続すると、ステップ３でイエスと判断されてステップ４へ進む。
【００２８】
ステップ４では、サイリスタ３０の位相制御のデューティ比を大きくして電動送風機１１すなわちヒューズ３４に流れる電流を増加させる（時点ｔ２）。電流を増加させる時間は図４に示すようにＴ２時間であり、またデューティ比は１００パーセントである。
【００２９】
デューティ比が１００パーセントにされることにより、電動送風機１１にはヒューズ３４が溶断する電流Ｉ２より大きな電流Ｉ３（約３０Ａ）が流れてヒューズ３４は溶断し、電動送風機１１に流れる電流は遮断されることになる。
【００３０】
しかし、ヒューズ３４が何らかの異常で溶断しないと、電動送風機１１に電流が流れ続けることになる。
【００３１】
そして、ステップ５では、デューティ比が大きくされた時点ｔ２からＴ２時間経過したか否かが判断され、ノーであればステップ５に戻り、イエスであればステップ６へ進む。
【００３２】
ステップ６では、サイリスタ３０の導通角をゼロにして電動送風機１１に流れる電流がオフされて終了する（時点ｔ３）。
【００３３】
このように、電動送風機１１がロックされた際にヒューズ３４が何らかの異常により溶断されなくても、ヒューズ３４の溶断電流Ｉ２を越えている時間がＴ２時間経過すると、電動送風機１１に流れる電流がオフされるので、電動送風機１１に過電流が流れ続けてしまうことがなく、このため電気掃除機の安全性を確実に確保することができる。
【図面の簡単な説明】
【００３４】
【図１】この発明に係る電気掃除機の外観を示した斜視図である。
【図２】図１に示す電気掃除機の制御系の構成を示したブロック図である。
【図３】図１に示す電気掃除機の動作を示したフロー図である。
【図４】電動送風機に流れる電流を示したグラフである。
【符号の説明】
【００３５】
１１      電動送風機
３０      サイリスタ
３１      制御装置
３２      電流検出手段
３４      ヒューズ
【図１】
2005278687.tif 000003
【図２】
2005278687.tif 000004
【図３】
2005278687.tif 000005
【図４】
2005278687.tif 000006